(57)【特許請求の範囲】
【請求項１】
入力される複数の映像信号のいずれかを主画面の映像信号として出力する第一の映像信号セレクタと、
前記複数の映像信号のいずれかを副画面の映像信号として出力する第二の映像信号セレクタと、
入力される複数の音声信号のいずれかを主画面の音声信号として出力する第一の音声信号セレクタと、
前記複数の音声信号のいずれかを副画面の音声信号として出力する第二の音声信号セレクタと、
前記第一の映像信号セレクタから出力される前記主画面の映像信号と前記第二の映像信号セレクタから出力される前記副画面の映像信号の少なくとも一方を用いて映像信号を生成する第一の映像処理手段と、
前記副画面の音声信号に応じたデータと、あらかじめ既知のシーンから収集して作成され保持された音声クラスモデルデータとの比較結果に基づいて、前記第二の音声信号セレクタから出力される前記副画面の音声信号の特徴量を生成する特徴量生成手段と、
前記副画面の音声信号の無音部分を検出する無音検出手段と、
前記無音検出手段により検出された前記無音部分の開始時刻から所定の期間が経過するまでの無効期間以外の期間において、前記特徴量が所定の閾値を超えたときを特定シーンと判定する判定処理手段と、
前記判定処理手段による前記特定シーンの検出結果に基づいて、前記第一の映像信号セレクタ、前記第二の映像信号セレクタ、前記第一の音声信号セレクタ、前記第二の音声信号セレクタ、及び前記第一の映像処理手段を制御する制御手段と
を有することを特徴とするテレビジョン受像機。
【請求項２】
前記特徴量生成手段は、
前記副画面の音声信号を周波数領域のデータに直交変換する直交変換処理手段と、
所望のシーンの音声信号から算出した直交変換係数の係数ベクトルを収集してモデル化した既知の係数ベクトルを保持するモデルデータ保持手段と、
前記直交変換処理手段による直交変換係数から得られる係数ベクトルを観測して、前記係数ベクトルが前記モデルデータ保持手段に保持された前記既知の係数ベクトルに対して尤度が所定レベルよりも高い区間の出現頻度を前記特徴量として出力する尤度比較処理手段と
を有することを特徴とする請求項１に記載のテレビジョン受像機。
【請求項３】
前記第一の映像処理手段により生成される映像信号に基づく映像を表示する映像表示手段と、
前記第一の音声信号セレクタから出力される前記主画面の音声信号に基づく音を出力する音声出力手段と
をさらに有することを特徴とする請求項１又は２に記載のテレビジョン受像機。
【請求項４】
前記第一の映像処理手段により生成される映像信号に他の映像データを重ねて表示させる第二の映像処理手段をさらに有することを特徴とする請求項１乃至３のいずれかに記載のテレビジョン受像機。
【請求項５】
前記第二の映像処理手段は、前記特定シーンが検出されたときに、主画面と副画面を入れ替えるかどうかの質問を表示させる信号を、前記第一の映像処理手段から出力される映像信号に合成して出力することを特徴とする請求項４に記載のテレビジョン受像機。
【請求項６】
前記第二の映像処理手段は、前記特徴量の増減に応じた値を表示させる信号を、前記第一の映像処理手段から出力される映像信号に合成して出力することを特徴とする請求項４に記載のテレビジョン受像機。
【請求項７】
前記特定シーンが検出されたことを視聴者に知らせる通知手段をさらに有することを特徴とする請求項１乃至６のいずれかに記載のテレビジョン受像機。
【請求項８】
前記制御手段は、前記特定シーンが検出されたときに、自動的に前記主画面と前記副画面を入れ替えるように前記第一の映像信号セレクタ及び前記第二の映像信号セレクタを制御することを特徴とする請求項１乃至４及び６のいずれかに記載のテレビジョン受像機。
【請求項９】
前記制御手段は、前記特定シーンが検出されたときに、ユーザー操作による指示を受けた後に前記主画面と前記副画面を入れ替えるように前記第一の映像信号セレクタ及び前記第二の映像信号セレクタを制御することを特徴とする請求項１乃至４及び６のいずれかに記載のテレビジョン受像機。
【請求項１０】
前記自動切替えよって主画面と副画面の入れ替えが行われた後に、ユーザー操作によって主画面と副画面を自動切替え前の状態に戻すキャンセル手段をさらに有し、
前記制御手段は、前記自動切替えによって主画面と副画面の入れ替えが行われてから、前記キャンセル手段によって主画面と副画面を自動切替え前の状態に戻すまでの時間に基づいて、前記判定処理手段により用いられる前記所定の閾値を変更する
ことを特徴とする請求項８に記載のテレビジョン受像機。
【請求項１１】
前記制御手段は、所定の時間が経過したときに、前記変更された所定の閾値を前記変更前の値に復帰させることを特徴とする請求項１０に記載のテレビジョン受像機。
【発明の詳細な説明】
【技術分野】
【０００１】
本発明は、複数の映像音声信号が入力されるテレビジョン受像機に関するものである。
【背景技術】
【０００２】
テレビジョン受像機には、一つの映像表示用スクリーン内に主画面（「親画面」とも言う。）の映像と副画面（「子画面」とも言う。）の映像を同時に表示するピクチャ・イン・ピクチャ（ＰｉｎＰ）機能を備えたものがある。通常、ＰｉｎＰ機能の使用時には、スピーカから主画面の音声が出力され、副画面の音声は出力されない。例えば、主画面にはドラマや映画を表示して音声を聴きながらストーリーを楽しみ、副画面にはスポーツ番組のようにハイライトシーン（例えば、得点シーン）を観ることができればよいとする放送を音声出力無しで表示し、ユーザー（視聴者）の操作によって主画面と副画面を適宜切り替えて視聴する使い方がある。しかしながら、この場合には、音声出力無しの副画面を意識しながら主画面を視聴することになり、視聴者が主画面に集中して鑑賞することができない問題がある。また、視聴者が副画面の放送のハイライトシーンに気付かなかったときには、ハイライトシーンを見逃すことになる。
【０００３】
このため、副画面の音声出力レベルを常時監視し、音声信号が所定レベル以上であり、且つ、所定レベル以上の音声信号が所定時間以上継続した場合に、ハイライトシーンであると判定し、ハイライトシーンと判定された副画面の映像音声を記録媒体に記録し、視聴者が副画面への切り替えを操作したときに、ハイライトシーンを検出した時刻から再生するテレビジョン受像機の提案がある（例えば、特許文献１参照）。
【０００４】
また、視聴している番組がコマーシャルメッセージ（ＣＭ）放送になったときに、視聴者がチャンネルを変更すると、変更前のチャンネルの音声信号を監視し、ＣＭの終了を検出すると、変更前のチャンネルに自動的に戻す機能を備えたテレビジョン受像機の提案もある（例えば、特許文献２参照）。
【０００５】
【特許文献１】特開２００３−１３４４１５号公報（第６頁、図１）
【特許文献２】特開平５−１９９４７０号公報（第５頁、図５）
【発明の開示】
【発明が解決しようとする課題】
【０００６】
特許文献１のテレビジョン受像機においては、音声出力レベルに基づいてハイライトシーンを特定している。しかし、放送局や番組によって大きく変動する音声出力レベルからハイライトシーンを適切に特定できる音声出力閾値を設定することは困難であり、通常は番組本編放送よりも音声出力レベルが高めに設定されているＣＭ放送区間をハイライトシーンと誤検出する事態が頻繁に発生するという問題がある。
【０００７】
また、特許文献２のテレビジョン受像機においては、音声信号を監視しているチャンネルが音声多重放送に切り替わった時点をＣＭ放送の終了時刻であると判定している。しかし、音声方式に基づいてＣＭ放送を検出する方法は、番組本編の音声方式が音声多重放送又はモノラル放送であり、ＣＭ放送が音声多重以外の放送又はステレオ放送である場合にしか適用できないという問題がある。
【０００８】
さらに、特許文献２のテレビジョン受像機においては、ＣＭ放送の終了を検出するとシステムが自動的に表示画面を切り替える。しかし、視聴者が表示画面の自動切替えを快く思わない場合、すなわち、ＣＭ放送の終了時刻を監視しているチャンネル変更前の番組よりも、現在視聴しているチャンネル変更後の番組の方に興味が移っていた場合には、視聴者の意に沿わない表示画面の自動切替えを行うことになるという問題がある。
【０００９】
そこで、本発明は、上記従来技術の課題を解決するためになされたものであり、その目的は、テレビジョン放送の音声方式に関係なく、特定シーンを適切に検出でき、適切な特定シーンに基づく通知又は制御を行うことができるテレビジョン受像機を提供することである。
【課題を解決するための手段】
【００１０】
本発明は、入力される複数の映像信号のいずれかを主画面の映像信号として出力する第一の映像信号セレクタと、前記複数の映像信号のいずれかを副画面の映像信号として出力する第二の映像信号セレクタと、入力される複数の音声信号のいずれかを主画面の音声信号として出力する第一の音声信号セレクタと、前記複数の音声信号のいずれかを副画面の音声信号として出力する第二の音声信号セレクタと、前記第一の映像信号セレクタから出力される前記主画面の映像信号と前記第二の映像信号セレクタから出力される前記副画面の映像信号の少なくとも一方を用いて映像信号を生成する第一の映像処理手段と、前記副画面の音声信号に応じたデータと、あらかじめ既知のシーンから収集して作成され保持された音声クラスモデルデータとの比較結果に基づいて、前記第二の音声信号セレクタから出力される前記副画面の音声信号の特徴量を生成する特徴量生成手段と、前記副画面の音声信号の無音部分を検出する無音検出手段と、前記無音検出手段により検出された前記無音部分の開始時刻から所定の期間が経過するまでの無効期間以外の期間において、前記特徴量が所定の閾値を超えたときを特定シーンと判定する判定処理手段と、前記判定処理手段による前記特定シーンの検出結果に基づいて、前記第一の映像信号セレクタ、前記第二の映像信号セレクタ、前記第一の音声信号セレクタ、前記第二の音声信号セレクタ、及び前記第一の映像処理手段を制御する制御手段とを有することを特徴としている。
【発明の効果】
【００１１】
本発明によれば、副画面の音声を解析して番組の特定シーンを判定する際に、あらかじめ既知のシーンから収集して作成した音声クラスモデルデータとの比較結果に基づいて特徴量を生成し、特徴量が所定の閾値を超えたときを特定シーンと判定しているので、適切に特定シーンを検出することができ、適切な通知又は制御をすることができるという効果がある。
【発明を実施するための最良の形態】
【００１２】
実施の形態１．
図１は、本発明の実施の形態１に係るテレビジョン受像機１００の構成を示すブロック図である。
【００１３】
図１に示されるように、テレビジョン受像機１００は、第一のアンテナ１が接続される第一のチューナ部３と、第二のアンテナ２が接続される第二のチューナ部４と、複数の映像信号Ｐ１，Ｐ２，Ｐ３が入力され、主画面とする映像信号Ｐｍを選択して出力する映像信号セレクタ６と、複数の映像信号Ｐ１，Ｐ２，Ｐ３が入力され、副画面とする映像信号Ｐｓを選択して出力する映像信号セレクタ７と、複数の音声信号Ａ１，Ａ２，Ａ３が入力され、主画面とする映像信号Ｐｍに同期した主画面の音声信号Ａｍを選択して出力する音声信号セレクタ８と、複数の音声信号Ａ１，Ａ２，Ａ３が入力され、副画面とする映像信号Ｐｓに同期した副画面の音声信号Ａｓを選択して出力する音声信号セレクタ９とを有している。また、テレビジョン受像機１００は、映像信号セレクタ６，７からの映像信号が入力される第一の映像処理手段であるピクチャ・イン・ピクチャ（ＰｉｎＰ）処理部１０と、映像信号に文字情報などを付加する第二の映像処理手段であるビデオ処理部１１と、表示処理部１２と、液晶表示パネルなどの映像表示部１４と、音声処理部１３と、スピーカなどの音声出力部１５と、副画面の音声信号から特定シーンを検出する特徴検出部１６と、テレビジョン受像機１００全体の動作を制御する制御部１７とを有している。
【００１４】
なお、図１に示されるテレビジョン受像機１００は、映像表示部１４と音声出力部１５とを備えたテレビジョン装置であるが、本発明は、映像表示部１４と音声出力部１５を備えず、外部モニタ（図示せず）及び外部スピーカ（図示せず）に映像信号及び音声信号を出力する装置（例えば、放送受信装置又は放送受信機内蔵型の記録再生装置）にも適用可能である。
【００１５】
また、図１に示されるテレビジョン受像機１００は、第一及び第二のチューナ部３，４を有しているが、本発明は、例えば、外部受信装置（図示せず）から複数の映像音声信号が入力される装置であれば、チューナ部を有していない装置にも適用可能である。
【００１６】
さらに、図１に示されるテレビジョン受像機１００においては、映像信号セレクタ６，７と音声信号セレクタ８，９のそれぞれの入力信号が３個である場合を説明しているが、本発明は、入力された２つ以上の映像音声信号に基づく複数の映像を同時又は切替えて表示できる装置であれば他の装置にも適用可能である。
【００１７】
以下に、実施の形態１におけるテレビジョン受像機１００の動作を説明する。テレビジョン受像機１００においては、第一のアンテナ１及び第二のアンテナ２で受信されたＶＨＦやＵＨＦなどの受信信号は、各々第一のチューナ部３及び第二のチューナ部４に供給される。第一のチューナ部３は、所望のチャンネルの放送信号を選局し、例えば、ＮＴＳＣ方式に準拠したカラーテレビ映像信号Ｐ１及び音声信号Ａ１を出力する。第二のチューナ部４は、所望のチャンネルの放送信号を選局し、例えば、ＮＴＳＣ方式に準拠したカラーテレビ映像信号Ｐ２及び音声信号Ａ２を出力する。また、図１に示されるように、ＤＶＤプレーヤなどの外部接続機器である映像再生装置５からの映像信号Ｐ３及び音声信号Ａ３が、外部入力端子１９を介してテレビジョン受像機１００に入力される場合もある。第一のチューナ部３及び第二のチューナ部４の各々から出力される映像信号Ｐ１，Ｐ２及び音声信号Ａ１，Ａ２、並びに、外部入力端子１９に入力される映像信号Ｐ３及び音声信号Ａ３は、映像信号セレクタ６，７及び音声信号セレクタ８，９に各々入力される。映像信号セレクタ６は、入力される映像信号の中から主画面となる映像信号Ｐｍを選択して出力し、映像信号セレクタ７は、入力される映像信号の中から副画面となる映像信号Ｐｓを選択して出力する。また、音声信号セレクタ８は、主画面に選択されている映像信号と同期した主画面の音声信号Ａｍを選択して出力し、音声信号セレクタ９は、副画面に選択されている映像信号と同期した副画面の音声信号Ａｓを選択して出力する。
【００１８】
映像信号セレクタ６から出力された主画面の映像信号Ｐｍと映像信号セレクタ７から出力された副画面の映像信号Ｐｓは、ＰｉｎＰ処理部１０に入力される。ＰｉｎＰ処理部１０は、主画面の映像信号Ｐｍと副画面の映像信号Ｐｓを合成処理して、合成された映像信号Ｐｍｓをビデオ処理部１１に供給する。ただし、ここで言う合成処理には、主画面の映像信号Ｐｍの一部を副画面の映像信号Ｐｓで置き換えて映像信号Ｐｍｓを生成する処理、主画面の映像信号Ｐｍのみから映像信号Ｐｍｓを生成する処理、及び副画面の映像信号Ｐｓのみから映像信号Ｐｍｓを生成する処理などが含まれる。ビデオ処理部１１は、ＰｉｎＰ処理部１０から出力された映像信号Ｐｍｓに、表示処理部１２で生成した文字などのキャラクターやグラフィックの情報をオンスクリーンで挿入するように映像信号処理を行う。ビデオ処理部１１は、入力された映像信号を増幅して映像表示部１４に供給する。映像表示部１４は、入力された映像信号に基づく映像を表示する。
【００１９】
音声信号セレクタ８から出力された主画面の音声信号Ａｍは、音声処理部１３に供給される。音声処理部１３は、供給された音声信号Ａｍの音量や音質を調整して音声出力部１５に出力する。音声出力部１５は、入力された音声信号Ａｍに基づく音を出力する。また、音声信号セレクタ９から出力された副画面の音声信号Ａｓは、特徴検出部１６に入力される。特徴検出部１６は、入力された副画面の音声信号Ａｓに基づいて、副画面について検出された特定シーンの検出信号Ｄ１を制御部１７に通知する。
【００２０】
マイコンなどで構成された制御部１７は、テレビジョン受像機１００の全体を制御し、各種機能を実現する。また、視聴者は、テレビジョン受像機１００本体に配置された入力キー（図示せず）又はリモコン１８を操作することによって、制御部１７に対する指示を行い、チャンネル選局、主画面と副画面との入れ替え、音量調節などの各種操作を行う。
【００２１】
なお、上記説明においては、第一のチューナ部３及び第二のチューナ部４はアナログ放送によるＶＨＦ／ＵＨＦ信号を受信するチューナブロックとしたが、第一のチューナ部３及び第二のチューナ部４の各々は、地上波デジタル放送、ＢＳデジタル、又はＣＳデジタル放送などのデジタル放送を受信するチューナブロックであってもよい。第一のチューナ部３又は第二のチューナ部４がデジタル放送を受信するチューナブロックである場合には、第一のチューナ部３又は第二のチューナ部４には、デジタル放送信号として受信するＭＰＥＧ−ＴＳ（トランスポートストリーム）として重畳される映像の符号圧縮データであるＭＰＥＧ−２方式データ等と、音声の符号圧縮データであるＭＰＥＧ−２  Ａｕｄｉｏ（ＡＡＣ）方式データ等を分離、デコード処理を行って、例えば、ＮＴＳＣ方式に準拠したカラーテレビ映像信号及び音声信号を出力する機能が含まれる。例示するならば、第一のチューナ部３と第二のチューナ部４のいずれか一方がアナログ放送用のチューナブロックであり、他方がデジタル放送用のチューナブロックである場合、又は、第一のチューナ部３と第二のチューナ部４の両方がデジタル放送用のチューナブロックである場合などがある。
【００２２】
また、外部入力端子１９に接続される映像再生装置５は、ＤＶＤプレーヤ以外の装置、例えば、ビデオテープレコーダ、ハードディスクレコーダ、記録型ＤＶＤレコーダ、又は映像再生機能を備えたパーソナルコンピュータなどであってもよい。さらに、映像再生装置５から出力される映像信号Ｐ３及び音声信号Ａ３は、ＤＶＤディスクやビデオテープなどの記録媒体に記録された映像音声信号ではなく、映像再生装置５に搭載されているアナログ放送用チューナやデジタル放送用チューナから出力される映像信号及び音声信号であってもよい。
【００２３】
図２は、図１に示される映像表示部１４における表示画面の一例を示す図である。図２に示されるように、映像信号セレクタ６で主画面に選択した映像信号Ｐｍに基づく映像が主画面表示領域５１に表示され、映像信号セレクタ７で副画面に選択した映像信号Ｐｓに基づく映像が副画面表示領域５２に表示される。また、音声信号セレクタ８によって主画面の映像信号Ｐｍと同期した音声信号Ａｍが選択されて音声出力部１５から出力される。図２には、副画面表示領域５２が主画面表示領域５１の一部分に重複するように表示された一般的なＰｉｎＰ画面を例示しているが、副画面５２の位置及びサイズは図示の例に限定されない。例えば、主画面及び副画面の両方を、映像表示部１４の画面表示用スクリーンにおいて、左右又は上下に重複することなく並べて表示してもよい。また、制御部１７は、主画面表示領域５１のみを表示して副画面表示領域５２を表示しない表示モードをＰｉｎＰ処理部１０に指令することもできる。
【００２４】
図３は、図１に示されるリモコン１８の操作キー配置の一例を示す図である。図３に示されるように、リモコン１８は、チャンネル選局や音量調節などを行うための機能キー群６１と、主画面と副画面とを手動で切替えるための切替えキー６２と、オンスクリーンに表示するメッセージやメニュー画面に対して左右方向の選択を指示するための左方向キー６３及び右方向キー６４と、選択した項目を決定する際に使用する決定キー６５とが備えられている。切替えキー６２が押下されると、切替え前に主画面の映像信号セレクタ６で選択していた映像信号が副画面の映像信号セレクタ７で選択され、切替え前に副画面の映像信号セレクタ７で選択していた映像信号が主画面の映像信号セレクタ６で選択される。この映像信号の切替えに伴って、音声信号セレクタ８は、常に主画面と同期した音声信号を選択するように動作し、音声信号セレクタ９は常に副音声と同期した音声信号を選択するように動作する。
【００２５】
図４は、図１に示される特徴検出部１６の構成を詳細に示す機能ブロック図である。図４に示されるように、特徴検出部１６は、副画面の音声信号Ａｓであるアナログ信号をＰＣＭ（Ｐｕｌｓｅ  Ｃｏｄｅ  Ｍｏｄｕｌａｔｉｏｎ）方式のデジタル信号に変換するＡ／Ｄ（アナログ・デジタル）変換部２０と、直交変換処理部２１と、尤度比較処理部２３と、尤度比較処理部２３における演算に際して参照する音声クラスモデルのデータテーブルを保持する記憶装置であるモデルデータ保持部（以下、単に「モデルデータ」と言う。）２２と、音声信号から無音箇所を検出する無音検出部２４と、尤度比較処理部２３で算出したラベル情報と無音検出部２４で検出した無音情報に基づいて特定シーンを判断する判定処理部２５とから構成される。Ａ／Ｄ変換部２０と、直交変換処理部２１と、モデルデータ２２と、尤度比較処理部２３とは、副画面の音声信号Ａｓに応じたデータと、あらかじめ既知のシーンから収集して作成され保持された音声クラスモデルとの比較結果に基づいて、音声信号セレクタ９から出力される副画面の音声信号Ａｓの特徴量を生成する特徴量生成部２６を構成している。
【００２６】
図４を用いて、特徴検出部１６による特定シーンの決定方法の詳細について述べる。ここでは、判定処理部２５で検出する特定シーンが、スポーツ番組における得点シーンや決定機（得点を決めるべきチャンス）シーンなどのハイライトシーンである場合について説明する。副音声の音声信号セレクタ９により選択された副画面の音声信号Ａｓが、例えば、ステレオ信号である場合、Ａ／Ｄ変換部２０は右チャンネルと左チャンネルのＰＣＭデータを生成する。実施の形態１においては、民生用レコーダ機器の場合と同様に、例えば、サンプリング周波数を４８ｋＨｚ、量子化ビット数を１６ｂｉｔとすることができる。
【００２７】
直交変換処理部２１は、時間領域のＰＣＭデータを周波数領域のデータに直交変換する。直交変換に関しては、ＰＣＭデータを時間的に５０％オーバーラップするＭＤＣＴ（変形離散コサイン変換）を使用する例について述べる。５０％のオーバーラップを行うため、５１２個のＰＣＭデータをサンプリングすると、２５６個の直交変換係数（ＭＤＣＴ係数）が右チャンネルと左チャンネルの各々について得られる。ステレオ信号の片チャンネル（例えば、左チャンネル）、又はモノラル信号の１チャンネルに対する直交変換係数から、２５６次元の係数ベクトルが得られる。係数ベクトルは、計算量の軽減を目的に、射影変換により次元数の低減を図ってもよい。
【００２８】
また、入力された音声信号を分析するに先立ち、あらかじめスポーツ番組の得点シーンや決定機などでアナウンサーが興奮した声で絶叫したり、又は観客による大歓声が沸き起こったりする所謂ハイライトシーンを主観評価によって判断し、そのシーンにおける音声信号から算出した直交変換係数の係数ベクトルを収集してトレーニングデータとする。そして、収集したトレーニングデータが個々に持つ係数ベクトルの分布傾向を、混合ガウス分布モデル（ＧＭＭ法）を使用してモデル化しておく。このようなハイライトシーンから作成したモデルを、ハイライトクラスモデルと呼ぶ。また、ハイライトシーンではない平常時のアナウンサーの声、観客の歓声、拍手、笑い声、音楽などの非ハイライトシーンについても同様に主観評価で顕著なシーンからトレーニングデータを収集して混合ガウス分布モデルを作成して、複数の音声クラスモデルを用意する。モデルデータ２２は、これらの複数の音声クラスモデルが参照できるデータテーブルとなる。
【００２９】
尤度比較処理部２３は、モデルデータ２２を参照し、例えば、１オーディオフレーム（３２ミリ秒）間隔毎に録画を行っている音声信号の直交変換係数ベクトルがベクトル空間とし最も尤度の高い音声クラスモデルを探し、その音声のクラスを当該区間のラベルとして割り当てて判定処理部２５に通知する。すなわち、ハイライトクラスモデルの周波数特性と尤度の高い音声入力があった場合に、ハイライトシーンを示すラベルが割り当てられ、その区間がハイライトシーンであるとの推測が可能になる。なお、あらかじめ用意したモデルを参照して入力信号の音声クラスを特定する手法であれば混合ガウス分布モデルによる尤度比較でなくてもよく、隠れマルコフ法（ＨＭＭ法）などの統計的な手法を使用してもよい。
【００３０】
無音検出部２４は、例えば、１オーディオフレーム（３２ミリ秒）間隔毎に直交変換処理部２１で得た２５６個の直交変換係数（ＭＤＣＴ係数）の係数値の二乗和を当該区間におけるオーディオエネルギーとして算出する。ここで得たオーディオエネルギーが、あらかじめ設定した閾値よりも低く、且つ、所定の時間（例えば、５００ミリ秒）以上継続した場合を無音と判定して、無音の検出を判定処理部２５に通知する。ここで述べている無音とは、スポーツ番組などの本編放送からＣＭ放送に切り替わる境界、ＣＭ放送とＣＭ放送との境界、又は、ＣＭ放送から本編放送に切り替わる境界に存在する無音部分である。
【００３１】
なお、以上の説明においては、特徴検出部１６で検出する特定シーンが、スポーツ番組のハイライトシーンである場合について説明したが、モデルデータ２２として音楽や歌などをモデルにすることで楽曲箇所を特定シーンとして検出することも可能である。また、笑い声などを識別するモデルデータ２２を作成すれば、笑い声の起こる箇所を特定シーンとして検出することもできる。このように、所望のシーンに対応する顕著なモデルデータ２２をあらかじめ用意することで、特徴検出部１６では要求に応じた特定シーンを検出することができる。
【００３２】
また、以上の説明においては、無音を検出する手法として、無音検出部２４によってオーディオエネルギーから検出する方法について述べたが、無音が検出できる手法であれば他の方法であってもよい。例えば、Ａ／Ｄ変換部２０を介さずにアナログ音声信号の信号振幅から無音を検出する手段を設けてもよい。また、コンパレータを用いて、ある基準レベルを閾値として入力信号を無音と有音の二値に分離し、コンパレータの出力を制御部１７などのマイコンで監視して無音を検出する方法を採用してもよい。
【００３３】
判定処理部２５には、尤度比較部２３で判定された、例えば、１オーディオフレーム（３２ミリ秒）間隔毎の音声クラスのラベルの情報と、無音検出部２４で検出した無音の発生を通知する信号が入力される。判定処理部２５においては、例えば、スポーツ番組の盛り上り度合いを数値化する方法として、オーディオフレーム毎に判定された音声クラスのラベルを時系列に並べて、これを所定の長さを持った時間窓（５秒間など）で切り出した時にハイライトクラスのラベルが占める比率を算出する。この比率を、ハイライトレベルと言う（後述の図５及び図６（Ａ）に示す。）。１オーディオフレームを３２ミリ秒とすれば、５秒間の時間窓には約１５６個のラベルが存在する。このうち全てがハイライトクラスと判定されていればハイライトレベルは“１．０”になり、７８個であればハイライトレベルは“０．５”になる。ハイライトシーンにおいては、ハイライトクラスのラベルが長時間連続することから、ハイライトレベルが高いほど、より盛り上がりが大きいシーンであることになる。時系列に並べた音声クラスのラベルに対して時間窓を１オーディオフレームや１秒などの所定時間でスライドさせることで、音声信号セレクタ９によって選択されている音声信号に対するハイライトレベルが逐次算出されることになる。判定処理部２５においては、さらに、算出したハイライトレベルに対して、無音情報による補正処理を行う。
【００３４】
図５は、本発明の実施の形態１におけるハイライトレベルの一例を示すグラフである。図５において、縦軸は“０．０”から“１．０”までの値となるハイライトレベル軸３０であり、横軸は受信しているテレビジョン放送の経過時間軸３１である。図５には、判定処理部２５で算出されたハイライトレベル３２をプロットしたグラフが示されている。閾値３３は、ハイライトレベル３２から特定シーンとしてのハイライトシーンを検出するために設定されている。
【００３５】
次に、図５を用いて、判定処理部２５によるハイライトシーンの判定方法について述べる。まず初めに、無音検出部２４から得られる無音情報に基づく補正処理を行わない例について述べる。すなわち、先に説明する判定方法においては、無音検出部２４が特徴検出部１６に含まれない構成であってもよい。
【００３６】
図５において、ハイライトレベル３２に対して設定した閾値３３を超えるハイライトレベルを持つシーンがハイライトシーンであると定義する。判定処理部２５は、逐次、ハイライトレベル３２を閾値３３で評価し、ハイライトシーンを検出すると制御部１７に通知する。すなわち、図５においては、時間ｔａ，ｔｂ，ｔｃ，ｔｄの各々において、判定処理部２５は、制御部１７に対してハイライトシーンの検出を通知する。
【００３７】
判定処理部２５において用いられる閾値３３は、視聴者による操作又は制御部１７による制御によって、任意の値に変更することが可能な構成にすることができる。閾値３３の調整可能範囲は、ハイライトレベル軸３０の“０．０”から“１．０”までの範囲内であり、閾値３３を低い値に設定すると、低いハイライトレベル３２となったアナウンサーや観客の僅かな盛り上がりでも、ハイライトシーンと判定することになる。また、閾値３３を高い値に設定すると、高いハイライトレベル３２となった激しい盛り上りでのみ、ハイライトシーンと判定するようになる。閾値３３の値は、視聴者の嗜好や番組の傾向などに応じて適切な値を選択すればよい。
【００３８】
特徴検出部１６からハイライトシーン検出の通知を受けた制御部１７は、ハイライトシーンが検出されたことを視聴者に通知する。この通知方法の一例として、図２に示されるようなＰｉｎＰの場合について述べる。映像表示部１４には映像信号セレクタ６で主画面に選択した映像が主画面表示領域５１に表示され、映像信号セレクタ７で副画面に選択した映像が副画面表示領域５２に表示されている。また、音声は、音声信号セレクタ８によって主画面に選択した映像信号と同期した音声信号が選択されて音声出力部１５より出力される。音声信号セレクタ９によって副画面に選択した映像信号と同期した音声信号から特徴検出部１６がハイライトシーンを検出すると、制御部１７は、映像信号セレクタ６、映像信号セレクタ７、音声信号セレクタ８、及び音声信号セレクタ９を制御して、ハイライトシーンを検出する直前までに選択していた主画面と副画面の映像音声信号を自動的に入れ替える処理を行う。すなわち、ハイライトシーンを検出すると、副画面に選択されていた映像が主画面表示領域５１に表示され、主画面表示領域５１に表示された画面に伴う音声が音声出力部１５から出力される。一方、主画面に選択されていた映像は副画面表示領域５２に表示されるようになり、副画面表示領域５２に表示された画面に伴う音声は音声出力部１５からは出力されなくなる。
【００３９】
図２に示した例においては、副画面表示領域５２が主画面表示領域５１の一部分に重複するように表示されているが、映像表示用スクリーン内に両画面を左右又は上下に重複することなく並べて表示している場合にも、同様に、主画面表示領域５１と副画面領域５２とを入れ替えて、音声信号についてはハイライトシーンを検出した側の音声を音声出力部１５から出力する処理を行うことができる。なお、主画面と副画面の表示領域を必ずしも入れ替える必要はなく、主画面と副画面を入れ替えることなく、音声出力部１５から出力される音声をハイライトシーンを検出した側の音声に切り替えるように構成してもよい。
【００４０】
また、主画面表示領域５１のみを表示して副画面表示領域５２は表示しない表示モードを選択する場合には、映像表示部１４の画面全体がハイライトシーンを検出した側の画面に切り替え、その映像に伴う音声を音声出力部１５から出力するように構成してもよい。
【００４１】
さらに、以上の説明においては、特定シーン検出の前まで主画面として選択していたチャンネルを副画面にする切替え方法について説明しているが、ハイライトシーンを検出した副画面の映像と音声が主画面として映像表示部１４及び音声出力部１５より出力されればよく、必ずしもハイライトシーン検出前の主画面をハイライトシーン検出後に副画面に設定しなくてもよい。この場合には、例えば、ハイライトシーン検出前の主画面の選択チャンネルを制御部１７のメモリ（図示せず）に保持しておくなどの方法を採用すればよい。
【００４２】
また、以上の説明においては、副画面に選択されていた映像に伴う音声からハイライトシーンを検出することによって、副画面であった映像を主画面として主画面表示領域５１に表示し、副画面の音声であった音声を主画面の音声として音声出力部１５から出力するよう自動的に切替えた場合を説明した。しかし、この切替え後も、副画面の音声信号セレクタ９の切替えは行わずに、主画面の音声信号セレクタ８で選択されて音声出力部１５から出力されている音声と同じ音声信号を特徴検出部１６に入力してハイライトシーンの検出を継続させるように動作させてもよい。このとき、ハイライトシーンではないと判断した場合、すなわち、ハイライトレベル３２が閾値３３を下回った場合に、判定処理部２５から制御部１７に対して非ハイライトシーン検出の通知を送ることによって、制御部１７は自動的に再び主画面表示領域５１に表示している映像を副画面のものと入れ替え、音声出力部１５から出力する音声も、入れ替えられた映像に伴う音声信号とするように音声信号セレクタ８を設定することにより、ハイライトシーン検出による自動切替えを行う前の状態に戻すことができる。
【００４３】
さらに、以上の説明においては、制御部１７が特徴検出部１６からハイライトシーン検出の通知を受けると直ちに主画面と副画面の切替え処理を行う場合を説明したが、ハイライトシーン検出の通知に対して固定又は可変時間による遅延後に画面を切替える処理を実行する動作モードや、ハイライトシーンが一定間隔以上継続することが確認された後に画面を切替える処理を実行する動作モードを選択できるように構成してもよい。
【００４４】
さらにまた、以上の説明においては、自動切替え後に非ハイライトシーン検出の通知を受け取ると直ちに、主画面と副画面とをハイライトシーン検出時の自動切替え前の状態に戻す切替え処理を行う動作モードを説明したが、非ハイライトシーン検出の通知に対して固定又は可変時間による遅延後に画面を切替える処理を実行する動作モードや、ハイライトシーンが一定間隔以上継続することが確認された後に画面を切替える処理を実行する動作モードを選択できるように構成してもよい。
【００４５】
さらに、判定処理部２５においてハイライトシーンを検出する場合の閾値３３と、ハイライトシーンを検出して主画面と副画面とを自動で切替えた後に非ハイライトシーンを検出する場合の閾値とは必ずしも同じ値である必要はない。例えば、非ハイライトシーン検出用の閾値を、ハイライトシーンを検出する場合の閾値３３よりも、低い値に設定することで、ハイライトシーンが短期間である場合など自動切替えを行った直後に再び自動切替えが発生するなど、映像が短期間に切り替わるという視聴者にとって不快な挙動を抑止することができる。
【００４６】
図６（Ａ）乃至（Ｃ）は、図４に示される判定処理部２５における、無音検出部２４から得られる無音情報による補正処理の過程を示す図である。図６（Ａ）は、判定処理部２５にて算出される補正処理前のハイライトレベル３２のプロットであり、図５で示したものと同じである。図６（Ｂ）は、横軸が経過時間軸３１、縦軸が無音レベル軸４０であり、無音が検出された区間がＨｉｇｈ（１）、有音の区間ではＬｏｗ（０）となる。図６（Ｂ）には、一例として無音検出部２４が検出した無音区間を示す無音レベル４１が示されている。図６（Ｃ）は補正前のハイライトレベル３２に対して、無音レベル４１に基づいて無効間隔４３による補正処理を行った後のハイライトレベル４２である。それ以外のものについては、図５で説明したものと同じである。
【００４７】
次に、図６（Ａ）乃至（Ｃ）を用いて無音検出部２４から得た無音情報に基づく判定処理部２５でのハイライトレベルの補正処理の過程を説明する。一例として、無音レベル４１のように無音検出部２４で無音が検出されると、無音検出時刻から無効間隔（Ｔ）４３の期間において、ハイライトレベルを“０．０”などの閾値３３を下回る低い値に強制的に置き換える補正処理を行う。無効間隔４３の期間は、例えば、ＣＭ放送として一般的な１５秒又は３０秒の前後の値に設定することで、連続するＣＭ放送に対して有効となる。
【００４８】
上記の補正処理を施したハイライトレベル４２では、閾値３３を上回る時間ｔａ，ｔｂ，ｔｄの３箇所でハイライトシーンが検出されたことになり、判定処理部２５から制御部１７にハイライトシーン検出が通知される。
【００４９】
なお、以上の説明においては、無音検出時刻から無効間隔４３の期間においてハイライトレベルを強制的に“０．０”などの固定値に置き換える補正処理を行ったが、例えば、“０．５”などの係数をハイライトレベルに乗じたり、無音検出直後で強制的に閾値３３を下回る値とした後に時間経過と共に段階的に本来のハイライトレベルの値に回復するような処理を行ってもよい。
【００５０】
さらに、実施の形態１においては、ハイライトレベルの値を直接補正するものであったが、判定処理部２５又は制御部１７において、無音検出から無効間隔４３の期間に検出されるハイライトシーンは無視するように構成してもよい。
【００５１】
以上に説明したように、実施の形態１に係るテレビジョン受像機１００によれば、テレビジョン放送の副画面の音声を解析して番組のハイライトシーンを特定する際に、あらかじめ既知のハイライトシーンから収集して作成した音声クラスモデルとの尤度に基づいて、ハイライトレベルであるかを判定しているので、適切にハイライトシーンを特定することができる。
【００５２】
また、実施の形態１に係るテレビジョン受像機１００によれば、番組のハイライトシーンでは通常は起こり得ない無音を検出した場合には、本編放送とＣＭ放送との境界が存在する、すなわち、近傍にはＣＭ放送が存在するとみなして、無音検出時刻を基準とする所定の時間範囲内においては、ハイライトシーンが検出されない構成としたので、ＣＭ放送区間をハイライトシーンと判断してしまう誤検出を回避できる。
【００５３】
実施の形態２．
図７は、本発明の実施の形態２に係るテレビジョン受像機における閾値変更処理を示すフローチャートである。図７において、ステップＳ７０からＳ７４までは、制御部１７による処理を示している。実施の形態２に係るテレビジョン受像機は、制御部１７の処理内容以外は、実施の形態１に係るテレビジョン受像機と同じである。
【００５４】
図７を用いて、制御部１７における閾値変更処理の詳細を説明する。制御部１７は、特徴検出部１６からハイライトシーン検出の通知を受けると、主画面と副画面の映像音声を自動で切替える（ステップＳ７０）。すなわち、映像信号セレクタ７で副画面に選択していた映像を映像信号セレクタ６で選択して主画面として映像表示部１４に表示し、主画面として表示された画面に伴う音声信号を音声信号セレクタ８で選択して音声出力部１５より出力する。同時に、映像信号セレクタ６で主画面に選択していた映像を映像信号セレクタ７で副画面に設定する。
【００５５】
主画面の映像音声を視聴していた視聴者は、ステップＳ７０により主画面と副画面の映像音声が自動で切替わることを望まない場合がある。例えば、主画面に設定しているチャンネルのドラマや映画などがクライマックスを迎えている場合には、副画面側で検出されたハイライトシーンよりも、主画面で視聴しているクライマックスシーンの興味が優先する場合がある。また、通知されたハイライトシーンが、視聴者にとって主観的にハイライトシーンとは思えない場合もある。これらの場合には、視聴者は、リモコン１８の切替えキー６２を押下することにより、自動的に切替わった主画面と副画面とは、映像信号セレクタ６，７及び音声信号セレクタ８，９によって自動切替え前の選択状態に戻す（ステップＳ７４）。このようにステップＳ７０から切替えキー６２によるユーザー操作を検出（ステップＳ７１）するまでの時間を計測し、当該時間が、例えば、５秒など所定時間以内であった場合は（ステップＳ７２）、判定処理部２５におけるハイライトシーン判定のための閾値３３を、例えば、１段階高く設定して（ステップＳ７３）、以降のハイライトシーン判定を行う。
【００５６】
なお、ステップＳ７３で変更した閾値３３は、例えば、５分など一定の期間を経過すると変更前の数値に戻るように制御部１７を構成してもよい。
【００５７】
また、実施の形態１においては、自動的に主画面と副画面とを切替えた後に非ハイライトシーンを検出すると再び主画面と副画面とを元の状態に戻す例を説明したが、この場合にも同様に視聴者が自動で元の状態に戻ることを望まない場合は、リモコン１８の切替えキー６２を押下することにより主画面と副画面とを再び切替えることができる。したがって、自動で元の状態に戻す処理（ステップＳ７０に相当）から切替えキー６２が押下されたと判断（ステップＳ７１に相当）するまでの時間を計測して、非ハイライトシーンを検出するための閾値を、例えば、１段階低く設定（ステップＳ７３に相当）して、以降の非ハイライトシーン判定を行うように構成してもよい。
【００５８】
以上に説明したように、実施の形態２に係るテレビジョン受像機によれば、ハイライトシーン判定の閾値３３、及び／又は、非ハイライトシーンを検出するための閾値を視聴者の嗜好に合わせた値に近づけることができ、一層適切にハイライトシーンを特定することができる。
【００５９】
実施の形態３．
上記実施の形態１においては、制御部１７は、特徴検出部１６からハイライトシーン検出の通知を受けると、視聴者の意思を確認することなく、自動的に主画面と副画面とを入れ替える動作を実行させていたが、実施の形態３においては、ハイライトシーンの発生を視聴者に明示するに止め、主画面と副画面との自動的に入れ替えは、視聴者による指示操作があった場合に実行する。
【００６０】
図８は、本発明の実施の形態３に係るテレビジョン受像機による表示画面の一例を示す図である。図８において、主画面表示領域５１には表示処理部１２で生成されたグラフィックデータであるメッセージウィンドウ８０が描画される。メッセージウィンドウ８０には、視聴者が選択可能な選択ボタン８１，８２が配置されている。
【００６１】
次に、図８を用いて、ハイライトシーンの発生の通知方法と視聴者による操作について説明する。制御部１７は、特徴検出部１６からハイライトシーン検出が通知されると、映像表示部１４にメッセージウィンドウ８０を表示させる。このメッセージウィンドウ８０には、副画面に選択しているチャンネルでハイライトシーンが検出されたこと、及び副画面のチャンネルを主画面に切替えることを確認するメッセージが表示される。このとき、メッセージに対して同意を示す選択ボタン８１と、拒否を示す選択ボタン８２が描画され、視聴者は、例えば、リモコン１８の左方向キー６３や右方向キー６４を使って選択ボタン８１又は８２を選択して決定キー６５を押下することで主画面として出力すべきチャンネルを決定する。図８の例において、選択ボタン（はい）８１を選択して決定ボタン６５を押すと、主画面と副画面とが切り替わり、選択ボタン（いいえ）８２を選択して決定ボタン６５を押すと、主画面と副画面の切替えは行われない。
【００６２】
なお、メッセージウィンドウ８０には選択ボタン８１，８２を設けることで、リモコン１８の左方向キー６３や右方向キー６４を使って選択した後に決定キー６５の押下することでチャンネルを決定するようにしたが、メッセージウィンドウ８０にはハイライトシーンを検出したことを通知するテキストのみを表示し、選択ボタンを設けなくてもよい。この場合、視聴者はメッセージウィンドウ８０を認識し、リモコン１８の切替えキー６２を押下するなどの操作を行って、所望のチャンネルを主画面に選択する。
【００６３】
なお、図８には副画面表示領域５２を持たない例を示したが、図２に示すような副画面表示領域５２を伴うものであってもよい。また、副画面表示領域５２を持たない場合にはメッセージウィンドウ８０の描画の代わりに副画面表示領域５２を出画して視聴者にハイライトシーンが検出されたことを通知する方法を採用してもよい。
【００６４】
以上に説明したように、実施の形態３に係るテレビジョン受像機によれば、副画面でハイライトシーンが検出されても、視聴者による指示がない限り主画面と副画面とが切り替わることは無いので、視聴者が副画面への切替えを望まない場合には、自らの意思で主画面の視聴を継続することができて視聴が妨げられない。
【００６５】
なお、実施の形態３において、上記以外の点は、上記実施の形態１及び２のいずれかの場合と同じである。
【００６６】
実施の形態４．
図９は、本発明の実施の形態４に係るテレビジョン受像機による表示画面の一例を示す図である。図９において、主画面表示領域５１には表示処理部１２で生成されたグラフィックデータであるインジケータ９０が描画される。
【００６７】
以下に、図９を用いて、ハイライトシーンの発生の通知方法と視聴者による操作について説明する。インジケータ９０は、判定処理部２５で算出されるハイライトレベルに応じた表示を逐次更新して描画する。例えば、ハイライトレベルが“０．０”から“１．０”までの数値となるのに対してインジケータ９０に１０個の矩形を配した場合、ハイライトレベルが“０．５”の場合にはインジケータ９０についても下から５番目までの矩形を点灯させることで、視聴者は視覚的に副画面のハイライトレベルを認識することができる。
【００６８】
視聴者が主画面を視聴中にインジケータ９０によって副画面のハイライトレベルが高いことを知ったときに、リモコン１８の切替えキー６２を押下するなどの操作を行って、副画面の放送を主画面に表示させることができる。
【００６９】
また、インジケータ９０においてハイライトレベルが所定のレベル以上であることを示した場合には、主画面と副画面とを自動的に切替える機能を備えてもよい。
【００７０】
なお、図９には、副画面表示領域５２を持たない例を示したが、図２に示されるように、副画面表示領域５２を伴うものであってもよい。また、ハイライトレベルを通知する方法としてインジケータ９０の矩形を点灯させる方法を示したが、副画面表示領域５２の一部や表示枠の色調又は輝度をハイライトレベルに応じて段階的に変化させる方法であってもよい。
【００７１】
以上に説明したように、実施の形態４に係るテレビジョン受像機によれば、視聴者は主画面を視聴中であっても副画面に選択したチャンネルの盛り上り具合を視覚的に判断できるので、その程度に応じて任意に副画面へ切替えて視聴を楽しむことができる。
【００７２】
なお、実施の形態４において、上記以外の点は、上記実施の形態１乃至３のいずれかの場合と同じである。
【００７３】
実施の形態５．
図１０は、本発明の実施の形態５に係るテレビジョン受像機の外観図である。図１０において、テレビジョン受像機１００は、映像表示部１４によって出画されている主画面表示領域５１と、視聴者に副画面でのハイライトシーンの検出を通知するＬＥＤなどの通知手段１０１とを備えている。
【００７４】
以下に図１０を用いて、ハイライトシーンの発生の通知方法と視聴者による操作について説明する。制御部１７は、特徴検出部１６からハイライトシーン検出が通知されると、通知手段１０１におけるＬＥＤを点灯させることで視聴者にハイライトシーンの検出を通知する。
【００７５】
視聴者が主画面を視聴中に表示手段１０１によって副画面のハイライトシーンの検出を知ると、リモコン１８の切替えキー６２を押下するなどの操作を行って、所望のチャンネルを主画面に選択する。
【００７６】
なお、実施の形態５においては、副画面表示領域５２を持たない例について説明したが、図２に示すような副画面表示領域５２を伴うものであってもよい。また、ハイライトシーン検出を通知する方法として、通知手段１０１はＬＥＤの以外にも液晶パネル表示や蛍光管表示のような視覚的に識別する方法の他、ビープ音や警告音を発生する音源を備えて聴覚的に識別する方法であってもよい。
【００７７】
さらにまた、実施の形態５においては、ハイライトシーンの検出を通知する通知手段１０１として１個のＬＥＤを使用する例を示したが、例えば、ＬＥＤを１０個備えることで、現在のハイライトレベルの程度に応じた数のＬＥＤを点灯させることによって、実施の形態４にてグラフィックデータとして出画したインジケータ９０と同等の機能を持たせることも可能である。
【００７８】
以上に説明したように、実施の形態５に係るテレビジョン受像機によれば、ＬＥＤなどの通知手段をテレビジョン受像機の本体に設けることにより、グラフィックデータなどによる通知画面が主画面に重畳されることがないので、視聴者は主画面の視聴に集中しつつ、副画面に選択したチャンネルでハイライトシーンが検出されたことを知ることができる。
【００７９】
なお、実施の形態５において、上記以外の点は、上記実施の形態１乃至４のいずれかの場合と同じである。
【図面の簡単な説明】
【００８０】
【図１】本発明の実施の形態１に係るテレビジョン受像機の構成を示すブロック図である。
【図２】図１に示される映像表示部の表示画面の一例を示す図である。
【図３】図１に示されるリモコンの操作キー配置の一例を示す図である。
【図４】図１に示される特徴検出部を示す機能ブロック図である。
【図５】実施の形態１におけるハイライトレベルの一例を示すグラフである。
【図６】（Ａ）乃至（Ｃ）は、図１に示される特徴検出部の処理を示す図である。
【図７】本発明の実施の形態２に係るテレビジョン受像機における閾値変更処理を示すフローチャートである。
【図８】本発明の実施の形態３に係るテレビジョン受像機におけるハイライトシーン検出時の表示画面の一例を示す図である。
【図９】本発明の実施の形態４に係るテレビジョン受像機における表示画面の一例を示す図である。
【図１０】本発明の実施の形態５に係るテレビジョン受像機を示す外観図である。
【符号の説明】
【００８１】
１  第一のアンテナ、  ２  第二のアンテナ、  ３  第一のチューナ部、  ４  第二のチューナ部、  ５  映像再生装置、  ６  映像信号セレクタ、  ７  映像信号セレクタ、  ８  音声信号セレクタ、  ９  音声信号セレクタ、  １０  ピクチャ・イン・ピクチャ処理部、  １１  ビデオ処理部、  １２  表示処理部、  １３  音声処理部、  １４  映像表示部、  １５  音声出力部、  １６  特徴検出部、  １７  制御部、  １８  リモコン、  １９  外部入力端子、  ２０  Ａ／Ｄ変換部、  ２１  直交変換処理部、  ２２  モデルデータ、  ２３  尤度比較処理部、  ２４  無音検出部、  ２５  判定処理部、  ２６  特徴量生成部、  ３０  ハイライトレベル軸、  ３１  経過時間軸、  ３２  ハイライトレベル、  ３３  閾値、  ４０  無音レベル軸、  ４１  無音レベル、  ４２  補正後のハイライトレベル、  ４３  無効間隔、  ５１  主画面表示領域、  ５２  副画面表示領域、  ６１  機能キー群、  ６２  切替えキー、  ６３  左方向キー、  ６４  右方向キー、  ６５  決定キー、  ８０  メッセージウィンドウ、  ８１，８２  選択ボタン、  ９０  インジケータ、  １００  テレビジョン受像機、  １０１  通知手段。
【図１】
0004657127.tif 000002
【図２】
0004657127.tif 000003
【図３】
0004657127.tif 000004
【図４】
0004657127.tif 000005
【図５】
0004657127.tif 000006
【図６】
0004657127.tif 000007
【図７】
0004657127.tif 000008
【図８】
0004657127.tif 000009
【図９】
0004657127.tif 000010
【図１０】
0004657127.tif 000011